(57)【要約】  映像装置は、入力映像データに対するスケーリング処理を行って出力解像度の映像データを生成する信号処理部と、出力解像度の映像データにより素子アレイ部を駆動する駆動部と、駆動部に接続する第１の映像メモリと、信号処理部に接続してスケーリング処理後の映像データを格納する第２の映像メモリと、キャプチャ画像を生成する第２の信号処理部とを有する。キャプチャ画像の取得が指示されると、駆動部のフリーズを実行してフリーズ直前の映像データに基づいて素子アレイ部を駆動し、解像度変換を除いたスケーリング処理を解除して第２の映像メモリに格納された映像データをキャプチャのために第２の処理部に転送し、その後、少なくとも解像度変換を除いたスケーリング処理を再設定して駆動部のフリーズを解除する。
2016151840.tif 000002
【特許請求の範囲】
【請求項１】
出力解像度に対応した画素数を有し、映像データに基づいて画素ごとに光を変調する素子アレイ部と、
入力解像度を有する入力映像データに対するスケーリング処理を行って前記出力解像度の映像データを生成する第１の信号処理部と、
前記出力解像度の映像データに基づいて前記素子アレイ部を駆動する駆動部と、
前記駆動部に接続して前記素子アレイ部への出力のために映像データを格納する第１の映像メモリと、
前記第１の信号処理部に接続し、前記スケーリング処理が行われた映像データを少なくとも格納する第２の映像メモリと、
前記第２の映像メモリに格納された映像データに基づいてキャプチャ画像を生成する第２の信号処理部と、
を有し、
前記第１の信号処理部は、キャプチャ画像の取得が指示されると、前記駆動部のフリーズを実行して該フリーズの実行の直前に前記第１の映像メモリに格納された映像データに基づいて前記素子アレイ部が駆動されるようにし、入力解像度と出力解像度との解像度変換を除いたスケーリング処理を解除して前記第２の映像メモリに格納された映像データをキャプチャのために前記第２の処理部に転送し、その後、少なくとも前記解像度変換を除いたスケーリング処理を再設定して前記駆動部のフリーズを解除する、映像装置。
【請求項２】
前記解像度変換を除いたスケーリング処理は、台形歪補正処理を含み、
前記解像度変換を除いたスケーリング処理の解除の際に前記台形歪補正の補正量を記憶し、前記解像度変換を除いたスケーリング処理の再設定の際に前記記憶した補正量を使用する、請求項１に記載の映像装置。
【請求項３】
前記素子アレイ部によって生成された映像に対するユーザの書込みを検出する検出部をさらに備え、
前記第２の信号処理部は、前記スケーリング処理された映像データに対して前記検出部での検出結果を重畳する映像合成部を有し、
映像合成部から出力される映像データに基づいて前記素子アレイ部が駆動され、前記キャプチャ画像が生成される、請求項１または２に記載の映像装置。
【請求項４】
前記検出部は、前記ユーザが有する電子ペンを検出する電子ペン検出部である、請求項３に記載の映像装置。
【請求項５】
前記第２の信号処理部は前記キャプチャ画像を配信する映像配信部を有する、請求項１乃至４のいずれか１項に記載の映像装置。
【請求項６】
出力解像度に対応した画素数を有し、映像データに基づいて画素ごとに光を変調する素子アレイ部と、入力解像度を有する入力映像データに対するスケーリング処理を行って前記出力解像度の映像データを生成する信号処理部と、前記出力解像度の映像データに基づいて前記素子アレイ部を駆動する駆動部と、前記駆動部に接続して前記素子アレイ部への出力のために映像データを格納する第１の映像メモリと、前記第１の信号処理部に接続し、前記スケーリング処理が行われた映像データを少なくとも格納する第２の映像メモリと、を有する映像装置における映像キャプチャ方法であって、
キャプチャ画像の取得が指示されると、前記駆動部のフリーズを実行して該フリーズの実行の直前に前記第１の映像メモリに格納された映像データに基づいて前記素子アレイ部が駆動されるようにするとともに、入力解像度と出力解像度との解像度変換を除いたスケーリング処理を解除して前記第２の映像メモリに格納された映像データに基づいてキャプチャを実行することと、
キャプチャ画像の取得後、少なくとも前記解像度変換を除いたスケーリング処理を再設定して前記駆動部のフリーズを解除することと、
を有する方法。
【請求項７】
前記解像度変換を除いたスケーリング処理は、台形歪補正処理を含み、
前記解像度変換を除いたスケーリング処理の解除の際に前記台形歪補正の補正量を記憶し、前記解像度変換を除いたスケーリング処理の再設定の際に前記記憶した補正量を使用する、請求項６に記載の方法。
【請求項８】
前記素子アレイ部によって生成された映像に対するユーザの書込みを検出することと、
前記スケーリング処理された映像データに対して、検出された前記書込みを重畳することと、
をさらに有し、
前記書込みが重畳された映像データに基づいて前記素子アレイ部が駆動され、前記キャプチャ画像が生成される、請求項６または７に記載の方法。
【請求項９】
前記キャプチャ画像を配信することをさらに有する、請求項６乃至８のいずれか１項に記載の方法。
【請求項１０】
前記キャプチャ画像をＪＰＥＧフォーマットに基づいて符号化することを有する、請求項６乃至９のいずれか１項に記載の方法。
【発明の詳細な説明】
【技術分野】
【０００１】
本発明は、プロジェクタなどの映像装置に関し、特に、投影または表示される映像をキャプチャすることが可能な映像装置と、映像をキャプチャする方法とに関する。
【発明の背景】
【０００２】
プロジェクタや液晶表示装置などの映像を投影しあるいは表示する映像装置は、例えば、パーソナルコンピュータに代表される映像データ出力機器から出力される映像データに基づいて動作する。プロジェクタは、一般に、そのプロジェクタに固有の画素数の液晶パネルあるいはデジタルミラーデバイスを備えており、画素ごとに光を変調し、液晶パネル全体あるいはデジタルミラーデバイス全体からのこれらの変調された光をスクリーンに投影する。これによって、映像データに基づいた映像がスクリーン上に形成される。プロジェクタには、投影される映像における各画素ごとの画素値を格納する表示用映像メモリと、この表示用映像メモリに格納された画素値に基づいて液晶パネルあるいはデジタルミラーデバイスを駆動する駆動部と、が設けられる。
【０００３】
近年、映像データ出力機器から出力される映像データにおける高解像度化が進行している。例えば、映像データの伝送フォーマットの１つであるＨＤＭＩ（高精細度マルチメディアインタフェース：High-Definition Multimedia Interface）では、一例として、水平方向に１９２０画素、垂直方向に１２００画素（これを「１９２０×１２００」とも表記する）といった高解像度の映像データが伝送される。映像データ出力機器からこのような高解像度の映像データが出力されるとして、映像装置の液晶パネルやデジタルミラーデバイスの画素数がその解像度よりも少ない場合には、例えば、特許文献１に記載されるように、解像度の変換が行われる。特許文献２には、ネットワークを介して複数の情報処理装置と複数の画像処理装置が接続するシステムにおいて、解像度変換を行いつつ複数の装置間でジョブを自動的に切り替えることが示されている。
【０００４】
ところで、会議などの場でプロジェクタなどの映像装置を使用する場合、投影されあるいは表示されている映像を例えばスクリーンショットとしてキャプチャしたい場合がある。映像装置によって投影されあるいは表示されている映像をキャプチャする技術として、映像装置に入力される映像データを映像装置内でソフトウェアによる符号化によってＪＰＥＧ(Joint Photographic Expart Group)フォーマットの画像データに変換するものがある。上述したような映像装置によって表示あるいは投影される映像をキャプチャするためには、例えば表示用映像メモリに格納されている１フレーム分の映像データに対し、ソフトウェア処理による符号化処理を行って、ＪＰＥＧ形式の画像ファイルに変換することが行われている。なお、画像ファイル生成に用いられる符号化方式は、ＪＰＥＧに限定されるものではない。
【０００５】
映像装置によってキャプチャされた映像は、例えば、ネットワークを介して他の映像装置などに転送される。さらに会議システムの発達やインターネットの普及などにより、キャプチャした映像をインターネット配信したり、キャプチャした映像を相互に送信しあうように構成することで複数拠点間の会議システムとして使用するケースが出てきている。ここで映像のキャプチャを行う映像装置の解像度の方がキャプチャ映像の転送先となる映像装置の解像度よりも高い場合があるが、特許文献３には、解像度が高い方の映像装置側でポインタが重畳している領域を中心として、解像度の低い方の映像装置の解像度に応じた大きさの領域を抽出したキャプチャすることが示されている。
【０００６】
ホワイトボードなどの書込み可能な面をスクリーンとして使用し、映像が投影されているスクリーンに対してさらにユーザがマーカペンなどを用いて書込みを行う場合には、ユーザが書込んだ内容も含めて映像をキャプチャしたい場合がある。特許文献４には、プロジェクタに投影面を撮影する撮像部を設け、一時的に投射光の輝度を低めて投影面を撮像し、投影に用いたデータと撮像されたデータとを合成して出力することが示されている。
【０００７】
プロジェクタの場合、必ずしもスクリーンの中央に対して正対してプロジェクタを配置できるとは限らない。スクリーンに対して水平方向あるいは垂直方向の少なくとも一方に関してプロジェクタから斜めに投影して使用する場合がある。このような投影姿勢の場合には、スクリーン上の映像が例えば台形状に歪むが、プロジェクタ側でこの台形歪（キーストーン歪）を自動的に補償して投影できるようにしたものがある。特許文献５には、歪補正量を決定する間、外部の画像ソースからの画像データ取得処理を停止し、補正量が決定された後に、画像格納部に予め格納しておいた画像を、決定された補正量を用いて補正した上で投影し、これと同時に画像データ取得処理を再開することが示されている。
【先行技術文献】
【特許文献】
【０００８】
【特許文献１】特開２００６−１０６１５８号公報
【特許文献２】特開２００９−２３０２５３号公報
【特許文献３】特開２００９−１９２６７０号公報
【特許文献４】国際公開第２０１２／１１１１２１号
【特許文献５】特開２０１３−２１１８６０号公報
【発明の概要】
【発明が解決しようとする課題】
【０００９】
上述したように映像データ出力機器から出力される映像データの解像度が例えば１９２０×１２００といったような高いものである場合、キャプチャすべき映像データ量が多くなって、キャプチャ画像の符号化を行う際の符号化器への転送時間や符号化の処理時間が長くなるという課題が生じる。得られたキャプチャ画像ファイルのサイズも大きくなるために、これを配信するために要する時間も長くなる。これらの結果、会議システムとして、キャプチャした映像を他の映像装置に転送する場合には、画像の配信間隔が長くなることになる。また、送信元の映像装置に入力する映像データの解像度に応じて符号化に要する時間や転送時間が異なるため、転送先の映像装置における画像の更新間隔が一定にはならない、という課題も生ずる。【００１０】
映像装置が例えば台形歪補正機能を有する場合、当該映像装置の表示用映像メモリに格納されている映像は台形歪補正を行った後の映像であって、スクリーンに投影したときに生ずる台形歪を相殺するように予め歪められた映像である。したがって、表示用映像メモリに格納されている映像をキャプチャしてキャプチャ画像とした場合、このキャプチャ画像も歪んでおり、このままでは他の映像装置において利用できないという課題が生じる。【００１１】
本発明の目的は、台形歪補正の影響を受けることなく、キャプチャ画像の取得やその符号化に要する時間を短縮できる映像装置と、その映像装置における映像キャプチャ方法とを提供することにある。
【課題を解決するための手段】
【００１２】
本発明の例示的態様によれば、映像装置は、出力解像度に対応した画素数を有し、映像データに基づいて画素ごとに光を変調する素子アレイ部と、入力解像度を有する入力映像データに対するスケーリング処理を行って出力解像度の映像データを生成する第１の信号処理部と、出力解像度の映像データに基づいて素子アレイ部を駆動する駆動部と、駆動部に接続して素子アレイ部への出力のために映像データを格納する第１の映像メモリと、第１の信号処理部に接続し、スケーリング処理が行われた映像データを少なくとも格納する第２の映像メモリと、第２の映像メモリに格納された映像データに基づいてキャプチャ画像を生成する第２の信号処理部と、を有し、第１の信号処理部は、キャプチャ画像の取得が指示されると、駆動部のフリーズを実行して該フリーズの実行の直前に第１の映像メモリに格納された映像データに基づいて素子アレイ部が駆動されるようにし、入力解像度と出力解像度との解像度変換を除いたスケーリング処理を解除して第２の映像メモリに格納された映像データをキャプチャのために第２の処理部に転送し、その後、少なくとも解像度変換を除いたスケーリング処理を再設定して駆動部のフリーズを解除する。【００１３】
本発明の別の例示的態様によれば、映像キャプチャ方法は、出力解像度に対応した画素数を有し、映像データに基づいて画素ごとに光を変調する素子アレイ部と、入力解像度を有する入力映像データに対するスケーリング処理を行って出力解像度の映像データを生成する信号処理部と、出力解像度の映像データに基づいて素子アレイ部を駆動する駆動部と、駆動部に接続して素子アレイ部への出力のために映像データを格納する第１の映像メモリと、第１の信号処理部に接続し、スケーリング処理が行われた映像データを少なくとも格納する第２の映像メモリと、を有する映像装置における映像キャプチャ方法であって、キャプチャ画像の取得が指示されると、駆動部のフリーズを実行して該フリーズの実行の直前に第１の映像メモリに格納された映像データに基づいて素子アレイ部が駆動されるようにするとともに、入力解像度と出力解像度との解像度変換を除いたスケーリング処理を解除して第２の映像メモリに格納された映像データに基づいてキャプチャを実行することと、キャプチャ画像の取得後、少なくとも解像度変換を除いたスケーリング処理を再設定して駆動部のフリーズを解除することと、を有する。
【発明の効果】
【００１４】
本発明によれば、投影または表示される映像に対する例えば水平／垂直台形歪補正が行われている場合において、台形歪補正を行う信号処理部よりも後段で映像のフリーズを行うとともにフリーズ期間中は台形歪補正を解除し、その後、台形歪補正を再設定することにより、実際に投影または表示される映像では台形歪補正がなされるようにするとともに、台形歪補正の影響を受けずに歪みのないキャプチャ画像を得ることができる。また、入力解像度が高い場合でも映像装置の出力解像度と同じ解像度のキャプチャ画像を生成するため、キャプチャのための映像データ転送時間、キャプチャ画像の符号化に要する時間、キャプチャ画像の配信に要する時間を短縮できる。入力解像度の大小にかかわらず一定の時間間隔でキャプチャ画像を配信できるようになる。
【図面の簡単な説明】
【００１５】
【図１】本発明の実施の一形態の映像装置を示すブロック図である。
【図２】入力映像データによる画面を示す図である。
【図３】解像度変換後の映像データによる画面と台形歪補正とを示す図である。
【図４】図１に示す映像装置でのキャプチャ動作を説明するフローチャートである。
【発明を実施するための形態】
【００１６】
次に、本発明の実施の形態について、図面を参照して説明する。図１は、実施の一形態の映像装置を示している。
【００１７】
図１に示す映像装置は、パーソナルコンピュータなどの映像データ出力機器から出力される映像データに基づいて、映像をスクリーンに投影したり画面に表示するものであり、具体的にはプロジェクタなどである。ここでは一例として、この映像装置に入力する映像データが、１９２０画素×１２００画素の解像度を有するＨＤＭＩフォーマットのものであるとし、この映像装置によってスクリーンに投影される映像の解像度は、１２８０画素×８００画素であるものとする。したがって、映像装置では、映像の解像度の変換が行われることになる。さらにこの映像装置では、水平／垂直（Ｈ／Ｖ；horizontal/vertical）の台形歪の補正も行われるものとする。なお、解像度の変換も台形歪の変換も、入力した映像データの各画素を、なんらかの演算処理により、映像装置によって実際に投影または表示される映像での各画素にマッピングする処理であるといえる。そこで、解像度の変換と台形歪の補正とを総称してスケーリングと呼ぶ。後述するようにスケーリングには、解像度変換と台形歪補正以外のものも含まれ得る。
【００１８】
映像装置は、ＨＤＭＩフォーマットである映像データ、すなわちＨＤＭＩ信号が入力されてこれを復号するＨＤＭＩデコード部１０１と、映像装置を操作するためのリモコン（リモートコントローラ）からの信号を受け付けるリモコン受信部１０２と、ＨＤＭＩデコード部１０１において復号がなされた映像データに対してスケーリングなどの処理を行う信号処理部１０３と、信号処理部１０３に接続された信号処理用映像メモリ１０４と、この映像装置の解像度に対応する画素数の液晶パネルあるいはデジタルミラーデバイスを備えて光源からの光を画素ごとに変調する素子アレイ部１０５と、素子アレイ部１０５の各画素を駆動する駆動部１０６と、駆動部１０６に接続された表示用映像メモリ１０７と、を備えている。リモコン受信部１０２は、受信したリモコン信号を信号処理部１０３に伝達する。駆動部１０６は、信号処理部１０３によってスケーリングされた映像データに基づいて素子アレイ部１０６を駆動し、これによってスケーリングされた映像データに基づいて投影または表示が行われるようにするとともに、一時的に信号処理部１０３からに映像データの入力を停止する機能すなわちフリーズする機能を有する。表示用映像メモリ１０７は、駆動部１０６に入力された映像データを一時的に格納し、素子アレイ部１０６を駆動するための形式に変換するために使用される。入力するＨＤＭＩフォーマットの映像データにおける解像度を入力解像度と呼び、この映像装置自体の解像度、すなわち素子アレイ部１０５で決まる解像度を出力解像度と呼ぶ。
【００１９】
この映像装置では、投影されている画面に対してユーザが何らかの書込み動作を行った場合に、そのユーザが書込んだ内容も含めてキャプチャ画像を取得できるようになっている。投影された画像に対してユーザが電子ペン１２０を用いて書込み動作を行うものとして、映像装置には、電子ペン１２０で書込まれた文字を検出する電子ペン検出部１０８と、電子ペン１２０によって書込まれた文字が入力映像データに重畳して投影されるよう映像合成などの処理を行うマルチメディア（ＭＭ；multimedia）処理部１１０とがさらに設けられている。信号処理部１０３が第１の信号処理部に相当するのに対し、マルチメディア処理部１１０は第２の信号処理部に相当する。したがって表示用映像メモリ１０７は第１のメモリに相当し、信号処理用映像メモリ１０４は第２のメモリに相当する。
【００２０】
マルチメディア処理部１１０は、さらに、投影されるべき映像をキャプチャしてキャプチャ画像とし、他の映像装置などに対してネットワークを介して配信する機能も有している。マルチメディア処理部１１０は、映像合成部１１１と、ＪＰＥＧエンコーダ部１１２と、映像配信部１１３とを備えている。映像合成部１１１は、電子ペン検出部１０８で検出された文字と、素子アレイ部１０５に出力されるべきスケーリングされた映像とを合成するものであって、合成された画像は、信号処理部１０３とＪＰＥＧエンコード部１１２とに送られる。ＪＰＥＧエンコード部１１２は、ソフトウェア処理により、映像合成部１１１によって合成された映像をＪＰＥＧ画像ファイルに符号化する。映像配信部１１３は、符号化されたＪＰＥＧ画像ファイルを例えばインターネットなどのネットワークを介して配信する。
【００２１】
ここで、信号処理部１０３及び信号処理用映像メモリ１０４についてさらに詳しく説明する。信号処理部１０３は、ＣＰＵ（中央処理装置；central processing unit）を内蔵するものであって、ＨＤＭＩデコード部１０１から入力された映像データの解像度（入力解像度）を素子アレイ部１０５の解像度（出力解像度）に変換する解像度変換処理を行うほか、リモコン受信部１０２からのリモコン信号に応じて、ＨＤＭＩデコード部１０１からの映像データとマルチメディア処理部１１０のＭ映像合成部１１１からの映像データを選択し、選択された映像データを駆動部１０６への出力対象とする。さらに、信号処理部１０３は、プロジェクタである映像装置がスクリーンに対して斜めに対して設置されている場合には、水平／垂直台形歪補正により補正を行う。信号処理用映像メモリ１０４は、信号処理部１０３での処理においてデータを格納するために用いられるものであり、ＨＤＭＩデコード部１０１から入力した映像データ及び映像合成部１１１からの映像データのうちリモコン信号によって選択された映像データと、この選択された映像データに対してスケーリングを行った後の映像データとが格納される。
【００２２】
図２及び図３は、本実施形態の映像装置で取り扱う映像データによって表される画面を示すものである。図２は、ＨＤＭＩ信号として入力された解像度が１９２０画素×１２００画素の画面１５１を示している。図３において点線は、素子アレイ部１０５の解像度である１２８０画素×８００画素の画面１５２を示しており、実線は、水平／垂直台形歪補正が行われている状態において信号処理用映像メモリ１０４に格納されている映像データによる画面１５３、すなわち投影のために実際に素子アレイ部１０５に出力される映像の領域を示している。
【００２３】
水平／垂直台形歪補正が行われている場合、出力のためにスケーリングされて信号処理用映像メモリ１０４に格納されるデータは、水平／垂直台形歪補正のために図３において実線で示すように、本来の長方形から歪んだ輪郭を有する映像データとなる。この映像データをそのままキャプチャした場合には、キャプチャ画像も歪んだものとなる。そこで本実施形態では、キャプチャを行う際に駆動部１０６において表示用映像メモリ１０７に格納されている映像を用いて画面のフリーズを行い、その後、信号処理用映像メモリ１０４に格納されている映像データにおける水平／垂直台形歪補正を解除し、信号処理用映像メモリ１０４内の映像データをマルチメディア処理部１１６に転送して映像のキャプチャを行わせる。マルチメディア処理部１１６への映像データの転送が終了すれば、水平／垂直台形歪補正を再設定し、駆動部１０６におけるフリーズも解除する。ユーザによるキャプチャの指示は、リモコン受信部１０２で受信されるリモコン信号によって与えられる。信号処理部１０３は、キャプチャの指示を示すリモコン信号に基づいて、駆動部におけるフリーズの実行と解除、水平／垂直台形歪補正の解除と再設定、マルチメディア処理部１１６に対するデータ転送を制御する。
【００２４】
このように本実施形態では、映像データのキャプチャが指示されると、駆動部１０６のフリーズが実行され、その結果、素子アレイ部１０５は、フリーズ直前の表示用映像メモリ１０７の内容で駆動され、フリーズ直前の内容が投影または表示され続けることになる。一方で信号処理用映像メモリ１０４には、解像度はこの映像装置のものに変換されたが水平／垂直台形歪補正を受けていない映像データ、すなわち、入力映像データと同じアスペクト比の映像データ（図３において点線で示す画面１５２に対応した映像データ）が格納されることになる。そこで、この時点で信号処理用映像メモリ１０４に格納された映像データに基づいてキャプチャ処理を行えば、映像装置の解像度によるキャプチャ画像であって、台形歪補正の影響を受けないキャプチャ画像が得られることになる。この映像装置の解像度によるキャプチャ画像であるので、ＪＰＥＧ符号化のために映像データを取得するための時間や符号化そのものに要する時間、キャプチャ画像ファイルを配信するために要する時間を短縮することができる。さらに本実施形態では、信号処理部１０３とマルチメディア処理部１１０との２つの処理部を使用するので、キャプチャを実行する際においても信号処理部１０３からマルチメディア処理部１１０への映像データの転送が完了してしまえば、マルチメディア処理部１１０での符号化処理の進行状況によらず、駆動部１０６でのフリーズを解除して素子アレイ部１０５に送られる映像データを最新のものとすることができる。
【００２５】
図４は、本実施形態の映像装置の信号処理部１０３での処理を説明している。ここでは、リモコン信号入力により、信号処理部１０３は、ＨＤＭＩデコード部１０１からの解像度が１９２０×１２００である映像データを出力用に選択しているものとする。リモコン信号入力によりキャプチャ実行要求があると、ステップ２０１において信号処理部１０３は、駆動部１０６に対して、フリーズ実行コマンドを出力する。このフリーズ実行コマンドにより駆動部１０６は、信号処理部１０３からの映像データの入力を中断し、フリーズ実行直前の映像が保存されている表示用映像メモリ１０７に格納された映像データを素子アレイ部１０５に出力し続ける。入力解像度は１９２０×１２００であり、素子アレイ部１０５の解像度（出力解像度）は１２００×８００であるから、信号処理部１０３は解像度変換処理を行っているが、解像度変換以外にも、水平／垂直台形歪補正を行っている可能性がある。水平／垂直台形歪補正が行われていると、信号処理用映像メモリ１０４内の映像データは、図３において実線で示すように歪んだものとなっている。
【００２６】
そこで、信号処理部１０３は、ステップ２０２において解像度変換処理以外のスケーリング処理が行われているかどうかを判断し、行われていない場合にはステップ２０４に移行し、行われている場合にはステップ２０３において、現在設定されている水平／垂直台形歪補正のそれぞれの補正値を記憶して、水平／垂直台形歪補正を解除し、その後、ステップ２０４に移行する。その結果、信号処理用映像メモリ１０４内には、解像度が１２８０×８００であって水平／垂直台形歪補正が解除された映像データが格納されることになる。
【００２７】
信号処理部１０３は、ステップ２０４において、信号処理用映像メモリ１０４内の台形歪補正を受けていない映像データを取得し、ステップ２０５において、取得した映像データをマルチメディア処理部１１０の映像合成部１１１に転送する。これによりマルチメディア処理部１１０では、映像データのキャプチャやＪＰＥＧ符号化が開始する。
【００２８】
信号処理部１０３は、映像合成部１１１への映像データの転送が完了すると、ステップ２０６において、解像度変換処理以外のスケーリング処理が行われているかどうかを判断し、行われていない場合にはステップ２０８に移行し、行われている場合には、ステップ２０７において、先に記憶した補正値に基づいて、水平／垂直台形歪補正の再設定を行い、ステップ２０８に移行する。ステップ２０８において信号処理部１０３は、駆動部１０６に対して、フリーズ解除コマンドを出力し、これにより駆動部１０６は、信号処理部１０３からの映像データの入力を再開する。
【００２９】
このように本実施形態では、水平／垂直台形歪補正が行われている場合、駆動部１０６でフリーズを実行することで、フリーズ直前の映像を使用して映像が投影または表示されるので、水平／垂直台形歪補正が行われた映像をユーザは見ることができる。例えばプロジェクタを使用した会議であれば、会議参加者は、違和感なく、スクリーンに投影された画面を見ることができる。一方、キャプチャ画像を生成するマルチメディア処理部１１０の映像合成部１１１には、水平／垂直台形歪補正が行われていない状態の映像が入力されるため、配信されるキャプチャ画像は、水平／垂直台形歪補正の影響を受けることなく、歪みのない画像となる。また、映像合成部１１１には素子アレイ部１０５での解像度（出力解像度）映像データが入力されるため、入力解像度に比べ小さなデータ量で処理を実行することが可能となる。したがって映像合成部１１１への映像データの転送時間、ＪＰＥＧ符号化に要する時間、キャプチャ画像の配信時間が短縮されるとともに、入力解像度の大小にかかわらず一定の時間間隔で配信を行うことができる。
【００３０】
上記の説明では、解像度変換以外のスケーリング処理として、水平／垂直台形歪補正を挙げているが、解像度変換以外のスケーリング処理はこれに限られるものではない。プロジェクタの設置状態によって補正を行うピンクッション、画面拡大、画面縮小、４点補正などもここでいうスケーリング処理に含まれる。ここで４点補正とは、出力映像の４隅（左上、左下、右上、右下）のうち基準点（例えば：右下の点）以外の３点を指定して出力映像を変形させる処理である。
【符号の説明】
【００３１】
１０１    ＨＤＭＩデコード部
１０２    リモコン受信部
１０３    信号処理部
１０４    信号処理用映像メモリ
１０５    素子アレイ部
１０６    駆動部
１０７    表示用映像メモリ
１０８    電子ペン検出部
１１０    マルチメディア（ＭＭ）処理部
１１１    映像合成部
１１２    ＪＰＥＧエンコード部
１１３    映像配信部
１２０    電子ペン
【図１】
2016151840.tif 000003
【図２】
2016151840.tif 000004
【図３】
2016151840.tif 000005
【図４】
2016151840.tif 000006
【国際調査報告】
2016151840.tif 000007
2016151840.tif 000008
2016151840.tif 000009